(57)【要約】【課題】雷サージ等による誤動作でリモコン回路のマイコンや周辺部品がラッチアップし、リモコンが動作しなくなる不具合が発生している。【解決手段】２線で接続されるリモコン１と、前記リモコンを２線で接続するためのリモコン接続端子３と、前記リモコン接続端子を介して前記リモコンへの電源供給を行う給電手段４と、前記リモコン接続端子と前記給電手段の間に介在し前記リモコンに対してシリアル信号を送出する送受信手段５と、前記送受信手段が送受信できない期間が所定時間１経過で前記給電手段を所定時間２の期間停止させる給電制御手段７を備え、所定時間２の給電停止期間でラッチアップを解除でき、給電復帰後自動的に正常に復帰できる【選択図】図１
2011114432.tif 000002
【特許請求の範囲】
【請求項１】
２線で接続されるリモコンと、前記リモコンを２線で接続するためのリモコン接続端子と、前記リモコン接続端子を介して前記リモコンへの電源供給を行う給電手段と、前記リモコン接続端子と前記給電手段の間に介在し前記リモコンに対してシリアル信号を送出する送受信手段と、前記送受信手段が送受信できない期間が所定時間１経過すると前記給電手段を所定時間２の期間停止させる給電制御手段を備えた給湯機のリモコン制御装置。
【請求項２】
前記リモコンは、送受信できない時に異常表示を行う表示手段を備えた請求項１記載の給湯機のリモコン制御装置。
【請求項３】
前記給電制御手段は、前記給電手段を復帰させた回数が所定回数となった場合以降の給電停止をさせない請求項１または２記載の給湯機のリモコン制御装置。
【請求項４】
前記所定時間１を、前記リモコンの表示手段が異常表示を行う時間より長く設定した請求項２または３記載の給湯機のリモコン制御装置。
【請求項５】
前記所定時間１を、前記リモコンの表示手段が異常表示を行う時間より短く設定した請求項３記載の給湯機のリモコン制御装置。
【発明の詳細な説明】
【技術分野】
【０００１】
本発明は、２線で接続される給湯機のリモコン制御装置に関するものである。
【背景技術】
【０００２】
従来より、給湯機等の機器では、リモコンと給湯機本体とを２線を用いて接続し、双方向のデータ通信と本体側からリモコン側への電力供給とを同時に行う双方向２線式遠隔制御方式を採用している（例えば、特許文献１参照）。
【０００３】
図３は高周波による変復調を行う双方向２線式遠隔制御方式を適用したシステムの構成例を示すブロック図であり、この図において、制御対象である本体１０には端子Ｔ１，Ｔ２、リモコン２０には端子Ｔ３，Ｔ４が設けられており、各端子は２線によって、対応する端子Ｔ１と端子Ｔ３、ならびに端子Ｔ２と端子Ｔ４が接続されている。
【０００４】
本体１０には、リモコン２０とのデータ通信の制御等を行うマイコン１１、マイコン１１から出力されるパルス列を高周波によって変調し高周波信号を出力する高周波変調回路１２、高周波変調回路１２の出力端と端子Ｔ１との間に挿入されたキャパシタンス１３、一端が電圧１２Ｖの電源に接続され他端が端子Ｔ１とキャパシタンス１３との間に接続された平滑化用のリアクタンス１４、入力端が高周波変調回路１２の出力端とキャパシタンス１３との間に接続され入力端から入力される高周波信号を高周波によって復調し、復調したパルス列をマイコン１１へ供給する高周波復調回路１５が設けられている。なお、端子Ｔ２は本体１０内で接地されている。
【０００５】
一方、リモコン２０には、本体１０とのデータ通信を制御するとともにリモコンの表示パネルへの表示やスイッチ群の操作状態の検出等を行うマイコン２１が設けられ、このマイコン２１をマイコン１１と見立てた場合に本体１０と同様の配置で、高周波変調回路２２、キャパシタンス２３、高周波復調回路２５が設けられている。ただし、キャパシタンス２３と端子Ｔ３との間には、２対の入出力端子を有するダイオードブリッジ２６が挿入されており、ダイオードブリッジ２６の一方の入力端子に端子Ｔ３が、一方の出力端子にキャパシタンス２３が接続されている。また、ダイオードブリッジ２６の一方の出力端子には、平滑化用のリアクタンス２４を介して、マイコン２１へ電力を供給する電源回路２７が接続されている。
【０００６】
このような構成において、双方向のデータ通信における回路動作について図４の波形図も参照して説明する。なお、本体１０およびリモコン２０のいずれへの送信かによらず、本体１０のリアクタンス１４、端子Ｔ１、２線、リモコン２０の端子Ｔ３、ダイオードブリッジ２６、およびリアクタンス２４を介して、電圧１２Ｖの電源信号が電源回路２７へ供給されている。
【０００７】
本体１０からリモコン２０への送信本体１０からリモコン２０への送信時には、まず、本体１０において、送信パルス列（図４中上側参照）がマイコン１１から高周波変調回路１２へ供給され、高周波信号に変調される。この高周波信号はキャパシタンス１３を介して上記電源信号の交流成分となり（図４中下側参照）、リモコン２０へ送信される。当該交流成分はリモコン２０のキャパシタンス２３により抽出されて高周波信号となり、さらに高周波復調回路２５により復調され、受信パルス列としてマイコン２１へ供給される。
【０００８】
リモコン２０から本体１０への送信リモコン２０から本体１０への送信時には、まず、リモコン２０において、送信パルス列がマイコン２１から高周波変調回路２２へ供給され
、高周波信号に変調される。この高周波信号はキャパシタンス２３を介して上記電源信号の交流成分となり本体１０へ送信される。当該交流成分は本体１０のキャパシタンス１３により抽出されて高周波信号となり、さらに高周波復調回路１５により復調され、受信パルス列としてマイコン１１へ供給される。
【先行技術文献】
【特許文献】
【０００９】
【特許文献１】特開平１０−８４５９０号公報
【発明の概要】
【発明が解決しようとする課題】
【００１０】
近年、異常気象等で雷の被害が増えており、雷サージ等による誤動作でリモコン回路のマイコンや周辺部品がラッチアップし、リモコンが動作しなくなる不具合が発生している。
【００１１】
本発明は上記課題を解消し、リモコン回路のマイコンや周辺部品がラッチアップしても、自動的に解除できる給湯機のリモコン制御回路を提供することを目的とする。
【課題を解決するための手段】
【００１２】
この目的を達成するため本発明は、２線で接続されるリモコンと、前記リモコンを２線で接続するためのリモコン接続端子と、前記リモコン接続端子を介して前記リモコンへの電源供給を行う給電手段と、前記リモコン接続端子と前記給電手段の間に介在し前記リモコンに対してシリアル信号を送出する送受信手段と、前記送受信手段が送受信できない期間が所定時間１経過で前記給電手段を所定時間２の期間停止させる給電制御手段を備えたものである。
【発明の効果】
【００１３】
本発明は、リモコン回路のマイコンや周辺部品がラッチアップしても、自動的に正常に復帰できる給湯機のリモコン制御回路を提供することができる。
【図面の簡単な説明】
【００１４】
【図１】実施の形態１における給湯機のリモコン制御装置の回路ブロック図
【図２】実施の形態１における給湯機のリモコン制御装置の動作フローチャート
【図３】従来のリモコン制御装置の回路ブロック図
【図４】従来のリモコン制御装置の変復調処理を説明するための波形図
【発明を実施するための形態】
【００１５】
第１の発明の給湯機のリモコン制御装置は、２線で接続されるリモコンと、リモコンを２線で接続するためのリモコン接続端子と、リモコン接続端子を介してリモコンへの電源供給を行う給電手段と、リモコン接続端子と給電手段の間に介在し前記リモコンに対してシリアル信号を送出する送受信手段と、送受信手段が送受信できない期間が所定時間１経過で給電手段を所定時間２の期間停止させる給電制御手段を備えており、リモコン内のマイコン等の回路がラッチアップしても、所定時間２の期間リモコンの電源を停止することでマイコン等の回路に残った電荷が放電され、ラッチアップが解除され、所定時間２の期間経過後の再通電時には正常に動作させることができる。
【００１６】
第２の発明の給湯機のリモコン制御装置は、リモコンが、送受信できない時異常表示を行う表示手段を備え、送受信の異常時には使用者に報知することができる。
【００１７】
第３の発明の給湯機のリモコン制御装置は、給電手段を復帰させた回数が所定回数とな
った場合以降の給電停止させない構成としているので、ラッチアップ以外の回路故障時には、無駄な給電停止を行わないため、リモコンの表示が点灯／消灯を繰り替えすことが無く、よりわかり易い異常表示を提供できる。
【００１８】
第４の発明の給湯機のリモコン制御装置は、リモコンの表示手段が異常表示を行う時間より長く設定しているため、送受信異常が表示された後に給電停止となるため、異常により給電停止を行っていることが判別できる。
【００１９】
第５の発明の給湯機のリモコン制御装置は、リモコンの表示手段が異常表示を行う時間より短く設定しているため、送受信異常により給電手段を復帰させた回数が所定回数以内の時はリモコンには異常表示されない。したがって、ラッチアップの場合には、再通電時には異常表示無しで正常に戻るため使用者に不安を与えることが無い。また、回路故障時等正常に戻らない場合には、所定回数後は給電停止を行わないためリモコンは送受信の異常時には使用者に報知することができる。
【００２０】
（実施の形態１）
図１は本実施の形態における給湯機のリモコン制御装置の回路ブロック図である。
１は２線で接続されるリモコン、２はリモコンの送受信異常を表示する表示手段で所定時間送受信できない時に報知を行う。３はリモコン１を２線で接続するためのリモコン接続端子、４はリモコン１への電源供給を行う給電手段、５はリモコン１と双方向でシリアル信号を送受信する送受信手段、６は給電手段４を介してリモコン１に電源を供給するための直流電源、７は送受信手段５からの信号を受け給電手段４に給電停止及び給電復帰信号を送る給電制御手段で、給電手段４は、給電制御手段７の信号によりリモコン１への給電、給電停止を行う。また、図１において鎖線で示す部分は給湯機本体を示す。
【００２１】
次に、給電制御手段７の動作を説明する。図２は本発明の実施例の給湯機のリモコン制御装置の動作フローチャートである。
【００２２】
（ステップ１）給電手段４がＯＮかどうかの判定を行い、ＯＮあればステップ２へ進み、ＯＦＦであればステップ９へ進む。
（ステップ２）送受信手段５が送受信異常かどうかの判定を行い、送受信異常であればステップ３へ進み、正常であればステップ８へ進む。
（ステップ３）異常時間をカウントアップし、ステップ４へ進む。
（ステップ４）異常時間が所定値を超えているかを判定し、所定値を越えていればステップ５へ進み、所定値以下であればステップ７へ進む。
（ステップ５）復帰回数が所定値を超えているかを判定し、所定値を越えていればステップ７へ進み、所定値以下であればステップ６へ進む。
（ステップ６）給電手段４を給電停止にし、ステップ７へ進む。
（ステップ７）停止時間を初期化し、ステップ１へ戻る。
（ステップ８）異常時間初期化、復帰時間初期化を行い、ステップ７へ進む。
（ステップ９）停止時間をカウントアップし、ステップ１０へ進む。
（ステップ１０）停止時間が所定値を超えているかを判定し、所定値を越えていればステップ１１へ進み、所定値以下であればステップ１に戻る。
（ステップ１１）給電手段４を給電側に、復帰回数のカウントアップ、異常時間の初期化を行いステップ１に戻る。
【００２３】
正常時には、ステップ１→ステップ２→ステップ８→ステップ７のフローとなり、給電手段４はＯＮ状態となる。雷サージ等の誤動作でリモコンのマイコン等がラッチアップすると、送受信手段５で送受信異常となり、ステップ１→ステップ２→ステップ３→ステップ４→ステップ７のフローとなり、送受信異常時間をカウントアップする。送受信異常時
間が所定値を超えると、ステップ１→ステップ２→ステップ３→ステップ４→ステップ５のフローとなり、ステップ５で復帰回数を判定し所定値以下であればステップ６に進み給電手段４をＯＦＦしステップ７へ進み、リモコンへの給電が停止される。
【００２４】
給電手段４がＯＦＦになると、ステップ１→ステップ９→ステップ１０へ進み停止時間をカウントしステップ１へ戻る。ステップ１０で停止時間が所定値を越えると、ステップ１１へ進み給電手段４をＯＮし、復帰回数のカウントアップと異常時間を初期化してステップ１に戻り、リモコンへ再度給電が開始される。ここで、リモコン側では所定時間給電が停止していたため電荷が放電され、マイコン等のラッチアップは解除されている。その後は、送受信手段５は正常に送受信できるため正常時のフローになる。
【００２５】
回路の故障等で復帰後も送受信異常が継続すると、前記給電手段４のＯＦＦ／ＯＮを繰り返す、そして復帰回数が所定値を超えると、ステップ１→ステップ２→ステップ３→ステップ４→ステップ５→ステップ７のフローとなり、以降給電手段４はＯＮを継続する。
【００２６】
以上のように、リモコン回路の一時的な誤動作によるラッチアップ等では自動的にリモコン電源を遮断し所定時間後再度通電が復帰し、自動的に異常を解除できる。また、リモコン回路の故障等で異常が継続する場合には異常であることをリモコン表示し報知できる。
【００２７】
ステップ４での異常時間の所定値は、リモコンの送受信異常時の表示までの時間より短くすると、リモコンの異常表示前に給電を停止するので使用者に不安を与えることない。また、復帰回数を限定しない場合には、リモコンの送受信異常時の表示までの時間より長くすることで、異常により給電停止していることがわかるようにできる。
【産業上の利用可能性】
【００２８】
以上のように、本発明にかかる給湯機のリモコン制御装置は、リモコン回路のマイコンや周辺部品がラッチアップしても、自動的に正常に復帰できるので、本体から電力の供給を受けかつ通信を行うリモコン制御装置に利用することができる。
【符号の説明】
【００２９】
１  リモコン
２  表示手段
３  リモコン接続端子
４  給電手段
５  送受信手段
７  給電制御手段
【図１】
2011114432.tif 000003
【図２】
2011114432.tif 000004
【図３】
2011114432.tif 000005
【図４】
2011114432.tif 000006